(57)【要約】      （修正有）【課題】液体等の内容物を小さい押圧力で押し出すことができ、成形が容易で、容易に塗布することができる簡便な構造の塗布具、及び該塗布具付き容器を提供する。【解決手段】上端部に開口部を設けた中空の流路を有する注出部Ａと、外周に溝状の案内部を設け、端部をブラシ状とした塗布部Ｂからなる塗布具１、及び塗布具の下端部に嵌合部５とその内側に破断手段を設けた筒状固定部材に塗布具を嵌合すると共に、タンパーエビデントケース内に収納した塗布具付き容器とする。【選択図】図１
2010022725.tif 000002
【特許請求の範囲】
【請求項１】
上端部に開口部を設けた中空の流路を有する注出部（A）と、外周に案内部を設けた塗布部（B）とからなることを特徴とする塗布具。
【請求項２】
前記注出部（A）の開口部と塗布部（B）の案内部が連通する請求項１に記載の塗布具。
【請求項３】
前記案内部が溝状である請求項１又は２に記載の塗布具。
【請求項４】
前記塗布部（B）の端部をブラシ状とした請求項１乃至３の何れかに記載の塗布具。
【請求項５】
前記請求項１乃至４の何れかに記載の塗布具の下端部に嵌合部とその内側に破断手段を設け、容器本体の開口部に封止部を設けた筒状固定部材を固定し、該筒状固定部材に塗布具を嵌合すると共に、タンパーエビデントケース内に収納したことを特徴とする塗布具付き容器。
【請求項６】
前記タンパーエビデントケースが破断部を介して容器本体に一体成形されている請求項５に記載の塗布具付き容器。
【請求項７】
前記容器本体に主剤、塗布具に副剤を備える請求項５又は６に記載の塗布具付き容器。
【発明の詳細な説明】
【技術分野】
【０００１】
本発明は、塗布具、及び該塗布具付き容器、特に歯科用、染毛用塗布具、及び塗布具付き容器に関する。
【背景技術】
【０００２】
通常、薬液等を患部に塗布する際に、塗布棒の先端に薬液等を含浸させて、患部へ塗布する方法が一般的に行われている。しかしながら、医療分野においては、近年の急速な技術進歩に伴い、用途や個別化医療によって各種さまざまな薬液等が用いられており、衛生性、医療事故防止の点から使い捨てタイプの中空の塗布具が使用されている。
【０００３】
例えば、注出用具に取り付けて使用する塗布具又はチップであって、塗布具又はチップの軸線に沿って延びる貫通孔を有する歯科用塗布具、及び塗布具付き注出用具が提案されている（特許文献１、２）。
また、液体を塗布する塗布具であって、保持部から筆穂にかけて中空の針状ノズルが配置され、その針状ノズルの基端側開口が保持部内に設けられるとともに先端側開口が筆穂の外側に接する位置に設けられている液体塗布具が提案されている（特許文献３）。
【０００４】
【特許文献１】特開平８−２４３１６０号
【特許文献２】特表２００４−５１２１３７
【特許文献３】特開２００４−１０５８７１
【発明の開示】
【発明が解決しようとする課題】
【０００５】
しかしながら、従来の塗布具は、塗布具先端に向かうに連れて液体等の内容物の流路が狭くなっており、接着剤等の高粘度の内容物を押出す際には、押し出すための特殊な機構を塗布具、或いは容器に付与する必要があり、構造が複雑となるので製造工程が増え、コスト高になるという問題があった。そこで、本発明は、これらの問題を解決すべく、成形が容易で簡便な構造の塗布具、及びその塗布具を用いた塗布具付き容器を提供するものである。
【課題を解決するための手段】
【０００６】
そこで、上記課題を解決するために、本発明の塗布具は、上端部に開口部を設けた中空の流路を有する注出部（A）と、外周に案内部を設けた塗布部（B）とからなる塗布具であって、
１． 前記注出部（A）の開口部と塗布部（B）の案内部が連通すること、
２．前記案内部が溝状であること、
３．前記塗布部（B）の端部をブラシ状である、
という特徴を有する。
また、本発明の塗布具付き容器は、前記塗布具の下端部に嵌合部とその内側に破断手段を設け、容器本体の開口部に封止部を設けた筒状固定部材を固定し、該筒状固定部材に塗布具を嵌合すると共に、タンパーエビデントケース内に収納した塗布具付き容器であって、
１．前記タンパーエビデントケースが破断部を介して容器本体に一体成形されていること、
２．前記容器本体に主剤、塗布具に副剤を備える、
という特徴を有する。
【発明の効果】
【０００７】
本発明の塗布具によれば、塗布具先端部への液体等の内容物の供給を、塗布具外周に設けた案内部によって行うため、塗布具に設ける内容物を流動させる中空の流路を細くしなくとも、塗布具の先端部に内容物を容易に供給して押し出すことができる。また、本発明の塗布具付き容器によれば、小さい押圧力で塗布具の先端部に液体等の内容物を押し出すことができ、使用前は塗布具がタンパーエビデントケース内に収納されるため外部環境に暴露されず、タンパーエビデント性、衛生性、汚染防止性に優れる塗布具付き容器とすることができる。
さらに、内容物を押し出すための特殊な機構を付与する必要がなく、製造も容易で安価に製造することができる。
【発明を実施するための最良の形態】
【０００８】
本発明の一実施形態について、図面を用いて説明する。
図１は、本発明の塗布具の一実施形態を示す。塗布具１は、注出部（Ａ）と、塗布部（Ｂ）から構成されている。また、塗布具１の注出部（Ａ）の下方には後述する容器本体１２に係合する係合部５が形成されている。
次に、塗布具１を拡大図（ｉ）を参照して説明する。塗布具１の注出部（Ａ）は、中空の流路２と、その先端部に開口部６を有し、塗布部（Ｂ）は、外周に溝状の案内部３を有し、該案内部３が塗布部（Ｂ）の先端部に向かって形成されている。そして、溝状の案内部３の幅は塗布（Ｂ）の先端部に向かって徐々に細くなるように形成されている。
前記案内部３は、注出部（Ａ）の中空の流路２、開口部６から注出される液体等の内容物を、塗布部（Ｂ）の外周を通って先端部に誘導する手段であればよく、例えば、液体が含浸しやすいシートを塗布部（Ｂ）の外周に被覆してもよい。しかしながら、内容物を落下させずに誘導すること、成形性の観点から前述した溝状とすることが好ましい。
また、塗布具１の塗布部（Ｂ）の先端部にはブラシ４が設けられ、内容物の塗布を容易としている。
【０００９】
図２は、塗布具１の断面図及び、塗布具１の注出部（Ａ）、塗布部（Ｂ）を部分的に拡大した側面図（ｉｉ）及び正面断面図（ｉｉｉ）を示す。注出部（Ａ）の中空の流路２の上端部に設けられる開口部６は、中空の流路２に対して略垂直方向に注出部（Ａ）を貫通して形成されている。そして、開口部６は、塗布部（Ｂ）の外周に形成された案内部３と連通部１９によって接続されており、前記開口部６は複数設けてもよい。
一方、中空の流路２の下端部、即ち、嵌合部５内には、後述する塗布具を容器本体に固定する筒状固定部材１５の封止部１６を開口する半円錐状の突起部７が設けられている。
また、塗布具１の塗布部（Ｂ）の長さは特に制限はないが、歯科用或いは染毛用であれば１〜１００ｍｍ、特に５〜３０ｍｍが好ましい。
尚、塗布具１の形状は、注出部（Ａ）と塗布部（Ｂ）を縮径部１８介して形成し、前記塗布部（Ｂ）を先端にむかって徐々に細径としており、この縮径部１８を設けることにより、塗布部（Ｂ）の先端部の可動域が大きくなり、滑らかな塗布を行うことができる。
【００１０】
塗布具１の材料としては、種々選択することができるが、熱可塑性樹脂、特に、ポリエチレン、ポリプロピレンが成形性、使用性の点から好ましい。
塗布具１の塗布部（Ｂ）としては、ブラシ、ハケ、ヘラ、クシ目ゴテ、ローラー等を採用することができる。特にブラシが内容物を含浸、塗布しやすいので好ましい。ブラシの材質としては、ナイロンや綿等の繊維状のものが好ましい。
【００１１】
図３は、本発明の塗布具付き容器の断面図及び部分断面拡大図（ｉｖ）を示す。塗布具付き容器１０は、下方に翼部１３’を有するタンパーエビデントケース１１と、側面に翼部１３を有する容器本体１２から構成される。そして、タンパーエビデントケース１１の翼部１３’と、容器本体１２の翼部１３を切り離すことを可能とする破断部１４が形成されている。塗布具１は筒状固定部材１５を介して容器本体１２に固定され、筒状固定部材１５の上端部に封止部１６を設け、塗布具１の嵌合部５内に前記封止部１６を破断するための半円錐状の突起部７を設けられている。
塗布具１と筒状固定部材１５の固定は、塗布具１の注出部（Ａ）の下方に設けた嵌合部５の内面のねじ部と、筒状固定部材１５の外周のねじ部が係合されており、塗布具１を回転して下方に移動させ、突起部７が封止部１６を、前記突起部７によって破断するように構成されている。尚、塗布具１と固定部材１５の係合は、これに限るものではなく、塗布具１を下方に押し込むことで仕切部材１６を破断させてもよい。
また、封止部１６としては、筒状固定部材１５の上面に薄膜を成形、或いは、フィルム等をヒートシールすることで形成できる。
【００１２】
本発明の塗布具付き容器１０の材料としては、ポリエステル、ポリプロピレン、ポリエチレン、ポリスチレン、ポリ塩化ビニル、ナイロン等が挙げられ、単層または多層容器とすることもできる。筒状固定部材１５の材料は、容器１０と接着、或いは溶着可能な部材が好ましく、例えば、ポリプロピレン、ポリエチレン等が挙げられる。
【００１３】
次に、本発明の塗布具付き容器の使用方法につき、図４を用いて説明する。
塗布具付き容器１０の使用に当たっては、容器本体１２を保持する共に、タンパーエビデントケース１１に形成された翼部１３’を回転させて破断部１４を破断させ、タンパーエビデントケース１１と容器本体１２とを切り離す（ｂ）。次いで、筒状固定部材１５に螺着された塗布具１を回転させて塗布具１を下方へ移動させ、塗布具１の下端部に形成された突起部８の押圧により封止部１６を貫通させる（ｃ）。次いで、内容物１７が充填された容器本体１２の外壁を押圧し、内容物１７を中空の流路２、開口部６、連通部１９、案内部３を通過させて、塗布具１の先端部に到達した内容物１７を患部へ塗布し、使用する（ｄ）。
なお、本発明の塗布具付き容器においては、効能得る際に２種類の薬剤を必要とし、且つ、混合が不適切な場合は、容器本体１２内に主剤となる内容物を充填し、塗布具１の先端部、或いは中空の流路２内に副剤８を備えることで、容易に混合することができる。このような例としては、主剤と副剤を混合することにより反応して硬化する歯科用接着剤等が挙げられる。
【００１４】
本発明の塗布具付き容器の使用用途としては、特に歯科用接着剤容器キット等の医療分野の使い切りタイプ容器として好適に使用され、内容物としてこれに限定されるものではないが、例えば、歯科用としてはリン酸系、カルボン酸系等が挙げられる。
【００１５】
尚、図示しないが前述した本発明の塗布具の製造に際しては、射出成形等にて成形することができる。また、本発明の塗布具付き容器の製造に際しては、例えば、本出願人が提案した国際公開公報ＷＯ２００６／０８５４８０が挙げられ、ブロー成形、充填、固定部材の固定、保護ケースの成形を連続的に行うことで、高度な無菌状態の内容物を充填した塗布具付き容器を得ることができる。
【図面の簡単な説明】
【００１６】
【図１】本発明の塗布具の斜視図、及び塗布具の一部を拡大した射視図（ｉ）を示す。
【図２】本発明の塗布具の正面図断面図、及び塗布部の一部を拡大した側面断面図（ｉｉ）、正面断面図（ｉｉｉ）を示す。
【図３】本発明の塗布具付き容器の断面図、及び係合部を拡大図した図（ｉｖ）を示す。
【図４】本発明の塗布具付き容器の使用方法の図を示す。
【図５】本発明の塗布具付き容器の射視図を示す。
【符号の説明】
【００１７】
１  塗布具
２  中空の流路
３  案内部
４  ブラシ
５  係合部
６  開口部
７  突起部
８  副剤
１０  塗布具付き容器
１１  タンパーエビデントケース
１２  容器本体
１３  翼部
１４  破断部
１５  筒状固定部材
１６  封止部
１７  内容物
１８  縮径部
１９  連通部
【図１】
2010022725.tif 000003
【図２】
2010022725.tif 000004
【図３】
2010022725.tif 000005
【図４】
2010022725.tif 000006
【図５】
2010022725.tif 000007